(57)【特許請求の範囲】
【請求項１】
前面を開口し、内部に貯蔵室を有する箱体と、この箱体の開口を閉塞する扉とを備え、前記箱体の内面の前後に上下方向に棚支柱をそれぞれ取り付け、前記各棚支柱の係止孔には棚を受けるための棚受け等を係脱自在に係合してなる貯蔵庫において、前記各棚支柱の箱体内面に取り付けられ、ネジ部と規制部と頭部とで形成されている化粧ネジである係止部材と、下側を化粧ネジの頭部より大きく形成し、かつ、上側を化粧ネジのネジ部より若干大きく形成するだるま孔で形成されている係合孔とを設けたことを特徴とする貯蔵庫。
【請求項２】
前記棚支柱の係合孔は前記係止孔の横に上下に設けたことを特徴とする請求項１記載の貯蔵庫。
【請求項３】
後方側の棚支柱は切曲されて前記係合孔を背面側に、係止孔を側面側に配置したことを特徴とする請求項２記載の貯蔵庫。
【発明の詳細な説明】
【０００１】
【発明の属する技術分野】
この発明は、貯蔵室を形成する箱体の内面に棚支柱を取り付け、この棚支柱に棚受け等を介して棚を架設できるように構成された貯蔵庫に関するものである。
【０００２】
【従来の技術】
従来よりこの種貯蔵庫は、例えば特開平１１−１８３０２５号公報に示される如く前面を開口して内部に貯蔵室を有する箱体と、この箱体の開口を閉塞する扉とを備え、前記箱体の内面の前後に棚支柱を上下に渡って取り付け、この棚支柱に棚受けを介して棚を架設し、この棚に食品などの物品を載置している。そして、棚支柱は箱体の内面にネジによって締め付け固定されている。
【０００３】
【発明が解決しようとする課題】
しかしながら、従来の貯蔵庫は厨房室に設置され、貯蔵室への食材の出し入れが頻繁に行われており、扉の開放時に厨房室に浮遊する油分や食材の出し入れ時にこぼれたりして内面が汚れたときの庫内の清掃時に棚支柱を取り外すのが面倒で、前記棚支柱を取り外さないで掃除した場合にはこの棚支柱の取付面に汚れが残ったり、前記棚支柱を取り外して掃除した場合には取付孔から清掃時の水等が内部に浸入して断熱材が劣化したりする等の問題があった。
【０００４】
この発明は上記の問題を解決するもので、棚支柱を箱体の内面に取り付けた係止部材に係合してこの係止部材を取り外すことなく前記棚支柱の取り外しや取り付けができるようにした貯蔵庫を提供することを目的とするものである。
【０００５】
【課題を解決するための手段】
この発明の請求項１は、前面を開口し、内部に貯蔵室を有する箱体と、この箱体の開口を閉塞する扉とを備え、前記箱体の内面の前後に上下方向に棚支柱をそれぞれ取り付け、前記各棚支柱の係止孔には棚を受けるための棚受け等を係脱自在に係合してなるものであって、前記各棚支柱の箱体内面に取り付けられ、ネジ部と規制部と頭部とで形成されている化粧ネジである係止部材と、下側を化粧ネジの頭部より大きく形成し、かつ、上側を化粧ネジのネジ部より若干大きく形成するだるま孔で形成されている係合孔とを設けたことにより、前記棚支柱を箱体の内面に取り付けた係止部材を取り外すことなく前記棚支柱を取り外したり、取り付けたりでき、清掃時に棚支柱の取付面をきれいに掃除することができると共に、清掃時の水等が係止部材の取付孔から断熱材の内部に浸入しないようにできる。
【０００６】
この発明の請求項２は、棚支柱の係合孔を係止孔の横に上下に設け、棚受け等を係合する係止孔を係合孔でつぶさないようにして棚の間隔に無駄が生じないようにしている。
【０００７】
この発明の請求項３は、後方側の棚支柱を切曲して前記係合孔を背面側に、係止孔を側面側に配置し、後方の棚支柱の取り外し取り付け作業を容易にしている。
【０００８】
【発明の実施の形態】
以下、図面に基づきこの発明の実施形態を詳述する。図１はこの発明の業務用冷蔵庫の正面図、図２はこの発明の内箱に棚支柱を取り付け正面方向から見た正面図、図３はこの発明の内箱に棚支柱を取り付け右側方から見た側面図、図４はこの発明の化粧ネジに棚支柱を係合した状態を示す要部拡大断面図、図５はこの発明の棚支柱にトレーを載置するスライドレールを取り付けた状態を示す拡大断面図である。
【０００９】
１は業務用冷蔵庫で、この冷蔵庫は厨房室に設置され、前面を開口して内部に貯蔵室２を有する断熱箱体３と、この断熱箱体の前面開口を閉塞する断熱扉４とで構成されている。断熱箱体３は外箱５と内箱６とこの両箱間に発泡充填される断熱材（図示せず）とで形成されている。
【００１０】
貯蔵室２を形成する内箱６の左側壁７、右側壁８及び背壁９の内面には開口側前方の左右側壁７、８に上下方向に略平板状に形成された棚支柱１０、１０が設けられ、後方の左側壁７と背壁９、及び右側壁８と背壁９にそれぞれ跨って上下方向に折り曲げられたＬ字状の棚支柱１１、１１が設けられている。棚支柱１０、１０にはトレー（図示せず）を前後にスライドさせるスライドレール１２・・・を取り付ける係止孔１３・・・が所定間隔で上下に渡って複数設けられると共に、この係止孔に並列に上部と下部の２ヶ所に係合孔１４、１４が設けられている。棚支柱１１、１１にはトレー（図示せず）を前後にスライドさせるスライドレール１２・・・を取り付ける所定間隔で上下に渡って複数設ける係止孔１３・・・が左右側壁７、８側に配置されると共に、この係止孔に並列に上部と下部の２ヶ所に設けられた係合孔１４、１４が背壁９側に配置されている。
【００１１】
棚支柱１０、１１は係止孔１３を内箱６の内面と間隔を設けると共に、係合孔１４を内箱６の内面と密着させて設けるようにしている。
【００１２】
１５は内箱６の左側壁７、右側壁８及び背壁９に取り付けて棚支柱１０、１１を取り付ける化粧ネジで、この化粧ネジはネジ部１６と規制部１７と頭部１８とで形成されている。
【００１３】
棚支柱１０、１１の係合孔１４、１４は下側を化粧ネジ１５の頭部１８より大きく形成し、かつ、上側を化粧ネジ１５のネジ部１６より若干大きく形成するだるま孔で形成されている。
【００１４】
以上のように構成された貯蔵庫において、内箱６の左右側壁７、８の開口側前方と背壁９の両側の隅に上下に２ヶ所づつ化粧ネジ１５を棚支柱１０、１１の板厚分ネジ部１６に隙間を設けて取り付け、各棚支柱１０、１１はこの棚支柱の係合孔１４のだるま孔の下側から化粧ネジ１５の頭部１８を通し、棚支柱１０、１１を上から下にずらして係合孔１４のだるま孔の上側をネジ部１６に係合して内箱３と化粧ネジ１５の規制部１７とで挟持して固定するようにしている。そして、各棚支柱１０、１１の係止孔１３・・・にスライドレール１２・・・を取り付け、このスライドレールに食品を載せたトレーを前方から載置し、摺動させて貯蔵室２内に収納して冷却を行うようにしている。
【００１５】
棚支柱１０、１０は内箱６の開口側に取り付けるため、係止孔１３と係合孔１４とが並列で平板状に形成されていても係合孔１４を化粧ネジ１５の頭部１８を通しネジ部１６に係合させる作業が簡単に行えるようにしている。また、棚支柱１１、１１は折り曲げられて形成することにより、背壁９に取り付けて正面に向いている化粧ネジ１５の頭部１８に係合孔１４を挿入しやすくなり、取り付け取り外す作業が簡単に行えるようにしている。
【００１６】
棚支柱１０、１１は化粧ネジ１５に係合して取り付けられることにより、貯蔵室２の清掃時に簡単に取り外すことができ、内箱６の棚支柱１０、１１と接合する面をきれいに掃除することができるようにしている。また、棚支柱１０、１１を取り外すときに、化粧ネジ１５は取り外す必要がないので、清掃時に水がネジの取付孔から断熱材中に浸入するのを防止できるようにしている。
【００１７】
係合孔１４はスライドレール１２・・・を取り付ける係止孔１３・・・の横に並列に設けることにより、複数の係止孔１３・・・の途中に設けてこの係止孔をつぶすことがなく、スライドレール１２・・・の取り付けられないヶ所を無くすことができると共に、係止孔１３・・・の上方及び下方に設けてこの係止孔の上端及び下端が取り付け制限を受けないようにしている。
【００１８】
化粧ネジ１５はこの化粧ネジの規制部１７と内箱６とで挟持するときに、予め若干緩めて隙間を大きくして棚支柱１０、１１を取り付けてからネジを締め付けることにより、この棚支柱の取付を確実に行うことができるようにしている。
【００１９】
尚、上記の説明においては、規制部１７と内箱６とで棚支柱１０、１１を挟持するように説明したが、図６のようにネジ部１６を規制部１７が内箱６に当接するまで締め付け、規制部１７の外周に棚支柱１０、１１の係合孔１４を係合させて頭部１８と内箱６とで挟持するようにしてもよく、この場合には頭部１８の飛び出しを低く抑えることができるようにしている。また、棚支柱１０、１１の係止孔１３・・・に網棚を取り付ける棚受け金具（図示せず）を取り付けても同様な効果を有することは言うまでもない。
【００２０】
【発明の効果】
以上のようにこの発明によれば、前面を開口し、内部に貯蔵室を有する箱体と、この箱体の開口を閉塞する扉とを備え、前記箱体の内面の前後に上下方向に棚支柱をそれぞれ取り付け、前記各棚支柱の係止孔には棚を受けるための棚受け等を係脱自在に係合してなるものであって、前記各棚支柱の箱体内面に取り付けられ、ネジ部と規制部と頭部とで形成されている化粧ネジである係止部材と、下側を化粧ネジの頭部より大きく形成し、かつ、上側を化粧ネジのネジ部より若干大きく形成するだるま孔で形成されている係合孔とを設けたことにより、前記棚支柱を箱体の内面に取り付けた係止部材を取り外すことなく前記棚支柱を取り外したり、取り付けたりでき、清掃時に棚支柱の取付面をきれいに掃除することができると共に、清掃時の水等が係止部材の取付孔から断熱材の内部に浸入しないようにできる。
【００２１】
この発明の請求項２によれば、棚支柱の係合孔を係止孔の横に上下に設けたので、棚受け等を係合する係止孔を係合孔でつぶさないようにして棚の間隔に無駄が生じないようにできる。
【００２２】
この発明の請求項３によれば、後方側の棚支柱を切曲して前記係合孔を背面側に、係止孔を側面側に配置したので、後方の棚支柱の取り外し取り付け作業を容易にできる。
【図面の簡単な説明】
【図１】この発明の業務用冷蔵庫の正面図である。
【図２】この発明の内箱に棚支柱を取り付け正面方向から見た正面図である。
【図３】この発明の内箱に棚支柱を取り付け右側方から見た側面図である。
【図４】この発明の化粧ネジに棚支柱を係合した状態を示す要部拡大断面図である。
【図５】この発明の棚支柱にトレーを載置するスライドレールを取り付けた状態を示す拡大断面図である。
【図６】この発明の他の実施形態の化粧ネジに棚支柱を係合した状態を示す要部拡大断面図である。
【符号の説明】
１  業務用冷蔵庫
２  貯蔵室
３  断熱箱体
４  断熱扉
１０、１１  棚支柱
１２  スライドレール（棚受け）
１３  係止孔
１４  係合孔
１５  化粧ネジ
【図１】
0004358945.tif 000002
【図２】
0004358945.tif 000003
【図３】
0004358945.tif 000004
【図４】
0004358945.tif 000005
【図５】
0004358945.tif 000006
【図６】
0004358945.tif 000007